(57)【要約】【課題】  製品の標準的な図面だけでなく、転化図面についても一元的に管理することができるようにする。【解決手段】  技術提携先端末２〜４から図面の送付要求を受信すると、図面データベース１２に管理されている図面の電子データを送付要求元の技術提携先端末に送信する図面送信部１４と、技術提携先端末２〜４から転化図面の電子データを受信して、その図面の審査依頼を受け付ける審査依頼受付部１５とを設け、技術提携先端末２〜４による転化図面の審査結果が“良”であれば、その審査依頼受付部１５により受信された転化図面の電子データを図面データベース１２に登録する。【選択図】        図１
2006293930.tif 000002
【特許請求の範囲】
【請求項１】
製品の標準的な図面の電子データを管理する電子データ管理手段と、技術提携先端末から図面の送付要求を受信すると、上記電子データ管理手段に管理されている図面の電子データを上記技術提携先端末に送信する図面送信手段と、上記技術提携先端末により手直しされた図面の電子データを受信して、その図面の審査依頼を受け付ける審査依頼受付手段と、上記技術提携先端末により手直しされた図面の審査結果が良であれば、上記審査依頼受付手段により受信された図面の電子データを上記電子データ管理手段に登録し、その図面の審査結果が否であれば、その図面の審査結果が否である旨を上記技術提携先端末に通知する図面登録手段とを備えた図面管理装置。
【請求項２】
審査依頼受付手段は、技術提携先端末により手直しされた図面の審査依頼を受け付けると、その図面の電子データを担当者端末に送信して当該図面の審査を依頼し、その担当者端末から図面の審査結果を受信することを特徴とする請求項１記載の図面管理装置。
【請求項３】
図面登録手段は、技術提携先端末により手直しされた図面の電子データを電子データ管理手段に登録する際、手直し前の図面と手直し後の図面との対応付けを行うことを特徴とする請求項１または請求項２記載の図面管理装置。
【請求項４】
図面送信手段は、第２の技術提携先端末から手直しされた図面の送付要求を受信すると、電子データ管理手段に管理されている手直しされた図面の電子データを上記第２の技術提携先端末に送信することを特徴とする請求項１から請求項３のうちのいずれか１項記載の図面管理装置。
【請求項５】
図面送信手段は、第２の技術提携先端末から標準的な図面及び手直しされた図面の送付要求を受信すると、電子データ管理手段に管理されている標準的な図面の電子データと手直しされた図面の電子データとを組み合わせて上記第２の技術提携先端末に送信することを特徴とする請求項１から請求項３のうちのいずれか１項記載の図面管理装置。
【請求項６】
図面の送付要求を図面管理装置に送信して、その図面管理装置から図面の電子データを受信する図面受信手段と、上記図面受信手段により受信された図面の電子データにしたがって図面を表示する図面表示手段と、上記図面表示手段により表示された図面の手直しを行う図面編集手段と、上記図面編集手段により手直しされた図面の電子データを上記図面管理装置に送信して、その図面の審査を依頼する審査依頼手段とを備えた技術提携先端末。
【請求項７】
図面の電子データを管理している図面管理装置と、図面の送付要求を上記図面管理装置に送信して、その図面管理装置から図面の電子データを受信する技術提携先端末とを備えた図面管理システムにおいて、上記図面管理装置が、製品の標準的な図面の電子データを管理する電子データ管理手段と、上記技術提携先端末から図面の送付要求を受信すると、上記電子データ管理手段に管理されている図面の電子データを上記技術提携先端末に送信する図面送信手段と、上記技術提携先端末により手直しされた図面の電子データを受信して、その図面の審査依頼を受け付ける審査依頼受付手段と、上記技術提携先端末により手直しされた図面の審査結果が良であれば、上記審査依頼受付手段により受信された図面の電子データを上記電子データ管理手段に登録し、その図面の審査結果が否であれば、その図面の審査結果が否である旨を上記技術提携先端末に通知する図面登録手段とを備えていることを特徴とする図面管理システム。
【発明の詳細な説明】
【技術分野】
【０００１】
この発明は、図面の電子データを一元的に管理して、その図面の電子データを技術提携先端末に送信する図面管理装置及び図面管理システムと、図面管理装置から図面の電子データを受信して表示する技術提携先端末とに関するものである。
【背景技術】
【０００２】
広域（グローバル）に亘って複数の設計拠点と製造拠点が存在する場合、同一製品の図面であっても、各拠点の現地事情（例えば、法規・調達・据付等の事情）に合わせるために、バリエーション展開（転化設計）された図面が拠点毎に分散されて管理されることがある。
例えば、拠点Ｚ（例えば、販売会社が設置されている拠点）が、拠点Ｘの転化図面（製品の標準的な図面に手直しが加えられた図面）を必要とする場合、技術提携契約上、図面の送付依頼をマザー工場（例えば、日本）に発送する。
マザー工場（例えば、日本）は、拠点Ｚから図面の送付依頼を受けると、拠点Ｚに対する転化図面の代行送付を拠点Ｘに依頼する。
ただし、拠点Ｘは、技術提携契約上、一般的には、転化図面の送付義務を有しておらず、ボランティアで送付するに過ぎず、転化図面の代行送付を断ることもできる。
この場合、マザー工場が拠点Ｘから転化図面を一旦収集して、その転化図面を拠点Ｚに転送する必要がある。
【０００３】
したがって、マザー工場が製品の標準的な図面だけでなく、転化図面についても一元的に管理することが望ましいが、転化図面を管理するにあたって、その転化図面の審査を行うワークフロー（例えば、転化図面が技術提携契約上、問題があるか否かを審査するフロー）の起動技術や、製品の標準的な図面と転化図面の関係を明確化する技術が確立していないため、現状では、転化図面は一元的に管理されていない。
【０００４】
なお、自社製の部品だけでなく、グローバルな部品（国内外のメーカの部品）も含めて標準となる部品をコンピュータで一元的に管理している部品管理方法は、例えば、以下の特許文献１に開示されている。
しかし、この部品管理方法は、あくまでも、部品管理を行うものであり、転化図面の審査を行うワークフローの起動技術や、製品の標準的な図面と転化図面の関係を明確化する技術を開示するものではない。
【０００５】
【特許文献１】特開平５−２６６０４４号公報（段落番号［００１３］から［００１８］、図１）
【発明の開示】
【発明が解決しようとする課題】
【０００６】
従来の図面管理システムは以上のように構成されているので、例えば、拠点Ｚが拠点Ｘの転化図面を必要とする場合、技術提携契約上、その転化図面の送付要求をマザー工場に依頼するが、拠点Ｘから転化図面を直接的に送付してもらえる保証がなく、速やかに転化図面を入手することができないことがある課題があった。
また、製品の標準的な図面はマザー工場で管理されるが、転化図面については広域に展開している拠点毎に管理されるため、現存する転化図面を正確に把握することが困難であり、転化図面を有効に活用することができない課題もあった。
【０００７】
この発明は上記のような課題を解決するためになされたもので、製品の標準的な図面だけでなく、転化図面についても一元的に管理することができる図面管理装置及び図面管理システムを得ることを目的とする。
また、この発明は、図面管理装置から図面の電子データを受信して、その図面の表示や編集を実施することができる技術提携先端末を得ることを目的とする。
【課題を解決するための手段】
【０００８】
この発明に係る図面管理装置は、技術提携先端末から図面の送付要求を受信すると、電子データ管理手段に管理されている図面の電子データを技術提携先端末に送信する図面送信手段と、その技術提携先端末により手直しされた図面の電子データを受信して、その図面の審査依頼を受け付ける審査依頼受付手段とを設け、その技術提携先端末により手直しされた図面の審査結果が良であれば、その審査依頼受付手段により受信された図面の電子データを電子データ管理手段に登録し、その図面の審査結果が否であれば、その図面の審査結果が否である旨を技術提携先端末に通知するようにしたものである。
【発明の効果】
【０００９】
この発明によれば、技術提携先端末から図面の送付要求を受信すると、電子データ管理手段に管理されている図面の電子データを技術提携先端末に送信する図面送信手段と、その技術提携先端末により手直しされた図面の電子データを受信して、その図面の審査依頼を受け付ける審査依頼受付手段とを設け、その技術提携先端末により手直しされた図面の審査結果が良であれば、その審査依頼受付手段により受信された図面の電子データを電子データ管理手段に登録し、その図面の審査結果が否であれば、その図面の審査結果が否である旨を技術提携先端末に通知するように構成したので、製品の標準的な図面だけでなく、技術提携先端末により手直しされた図面（転化図面）についても一元的に管理することができるようになり、その結果、転化図面を必要とする拠点に速やかに転化図面を送付することができるとともに、現存する転化図面を正確に把握することができる効果がある。
【発明を実施するための最良の形態】
【００１０】
実施の形態１．
図１はこの発明の実施の形態１による図面管理システムを示す構成図であり、図において、図面管理装置１は例えば国内のマザー工場に設置され、製品の標準的な図面の電子データだけでなく、例えば技術提携先端末２，３により手直しされた図面（転化図面）の電子データも一元的に管理して、その図面の電子データを例えば技術提携先端末４に送信するなどの機能を備えている。
技術提携先端末２は海外拠点Ｘに設置され、図面管理装置１から図面の電子データを受信して、その図面の表示や編集を実施するなどの機能を備えている。
技術提携先端末３は海外拠点Ｙに設置され、図面管理装置１から図面の電子データを受信して、その図面の表示や編集を実施するなどの機能を備えている。
技術提携先端末４は海外拠点Ｚに設置され、図面管理装置１から図面の電子データを受信して、その図面の表示や編集を実施するなどの機能を備えている。
ネットワーク５は例えばインターネットなどのネットワークであり、図面管理装置１及び技術提携先端末２〜４が接続されている。
担当者端末６は例えば製品の標準的な図面の設計者が利用するパーソナルコンピュータなどの端末である。
【００１１】
図２はこの発明の実施の形態１による図面管理装置１を示す構成図であり、図において、ネットワークＩ／Ｆ部１１はネットワーク５に対するインタフェースであり、各種のデータや情報を送受信するモデムなどの通信機器を実装している。
図面データベース１２は例えばハードディスク装置などの記憶装置から構成され、製品の標準的な図面の電子データのほか、転化図面の電子データを管理しているデータベースである。
図面管理部１３はネットワークＩ／Ｆ部１１が技術提携先端末２〜４から送信された図面の一覧要求を受信すると、ネットワークＩ／Ｆ部１１を介して、図面データベース１２に管理されている図面の一覧データ（図面リスト）を技術提携先端末２〜４に送信する処理を実施する。なお、図面データベース１２及び図面管理部１３から電子データ管理手段が構成されている。
【００１２】
図面送信部１４はネットワークＩ／Ｆ部１１が技術提携先端末２〜４から送信された図面の送付要求を受信すると、図面データベース１２から送付要求に付加されている図面ＩＤに対応する図面の電子データを収集し、ネットワークＩ／Ｆ部１１を介して、その図面の電子データを技術提携先端末２〜４に送信する処理を実施する。なお、図面送信部１４は図面送信手段を構成している。
審査依頼受付部１５はネットワークＩ／Ｆ部１１が技術提携先端末２〜４から送信された転化図面の電子データを受信して、その転化図面の審査依頼を受信すると、その審査依頼を受け付ける処理を実施する。即ち、審査依頼受付部１５は転化図面の審査依頼を受信すると、ネットワークＩ／Ｆ部１１を介して、その転化図面の電子データを担当者端末６に送信して転化図面の審査を依頼し、その担当者端末６から転化図面の審査結果を受信するなどの処理を実施する。なお、審査依頼受付部１５は審査依頼受付手段を構成している。
【００１３】
図面登録部１６は審査依頼受付部１５により受信された転化図面の審査結果（担当者端末６から送信された転化図面の審査結果）が“良”であれば、その転化図面の電子データを図面データベース１２に登録するとともに、ネットワークＩ／Ｆ部１１を介して、その転化図面の審査結果が“良”である旨を審査依頼元の技術提携先端末２〜４に通知し、その転化図面の審査結果が“否”であれば、ネットワークＩ／Ｆ部１１を介して、その転化図面の審査結果が“否”である旨を審査依頼元の技術提携先端末２〜４に通知するなどの処理を実施する。なお、図面登録部１６は図面登録手段を構成している。
【００１４】
図２の例では、図面管理装置１の構成要素である図面管理部１３、図面送信部１４、審査依頼受付部１５及び図面登録部１６が、例えば、マイコン等を実装している半導体集積回路基板などのハードウェアで構成されていることを想定しているが、図面管理装置１がコンピュータで構成されている場合には、図面管理部１３、図面送信部１４、審査依頼受付部１５及び図面登録部１６の処理内容が記述されているプログラムを当該コンピュータのメモリに格納し、当該コンピュータのＣＰＵがメモリに格納されているプログラムを実行することにより、図面管理部１３、図面送信部１４、審査依頼受付部１５及び図面登録部１６の機能を実現するようにしてもよい。
【００１５】
図３はこの発明の実施の形態１による技術提携先端末２〜４を示す構成図であり、図において、ネットワークＩ／Ｆ部２１はネットワーク５に対するインタフェースであり、各種のデータや情報を送受信するモデムなどの通信機器を実装している。
マンマシンＩ／Ｆ部２２は例えばキーボードやマウスなどの情報入力機器であり、技術提携先端末２，３，４のユーザが例えば図面の一覧要求や送付要求を指定する際に使用する。
要求送信部２３はユーザがマンマシンＩ／Ｆ部２２を操作して、図面の一覧要求や送付要求を入力すると、ネットワークＩ／Ｆ部２１を介して、その図面の一覧要求や送付要求を図面管理装置１に送信する処理を実施する。
図面受信部２４はネットワークＩ／Ｆ部２１が図面管理装置１から送信された図面の一覧データや図面の電子データを受信すると、その図面の一覧データや図面の電子データを図面表示処理部２５に出力する処理を実施する。なお、要求送信部２３及び図面受信部２４から図面受信手段が構成されている。
【００１６】
図面表示処理部２５は例えばグラフィック処理用のマイクロチップを実装しており、図面受信部２４が図面の一覧データを受信すると、図面リストをディスプレイ２６に表示し、図面受信部２４が図面の電子データを受信すると、その電子データにしたがって図面をディスプレイ２６に表示する処理を実施する。
ディスプレイ２６は例えばＣＲＴや液晶ディスプレイなどの表示装置である。なお、図面表示処理部２５及びディスプレイ２６から図面表示手段が構成されている。
図面編集部２７はディスプレイ２６に表示されている図面の編集機能を実装しており、ユーザによるマンマシンＩ／Ｆ部２２の操作内容にしたがって図面を編集して、編集後の図面である転化図面の電子データを審査依頼部２８に出力する処理を実施する。なお、図面編集部２７は図面編集手段を構成している。
審査依頼部２８はネットワークＩ／Ｆ部２１を介して、図面編集部２７により編集された転化図面の電子データを図面管理装置１に送信して、その転化図面の審査を依頼する処理を実施する。なお、審査依頼部２８は審査依頼手段を構成している。
【００１７】
図３の例では、技術提携先端末２，３，４の構成要素である要求送信部２３、図面受信部２４、図面表示処理部２５、図面編集部２７及び審査依頼部２８が、例えば、マイコン等を実装している半導体集積回路基板などのハードウェアで構成されていることを想定しているが、技術提携先端末２，３，４がコンピュータで構成されている場合には、要求送信部２３、図面受信部２４、図面表示処理部２５、図面編集部２７及び審査依頼部２８の処理内容が記述されているプログラムを当該コンピュータのメモリに格納し、当該コンピュータのＣＰＵがメモリに格納されているプログラムを実行することにより、要求送信部２３、図面受信部２４、図面表示処理部２５、図面編集部２７及び審査依頼部２８の機能を実現するようにしてもよい。
図４はこの発明の実施の形態１による図面管理システムの処理内容を示す説明図である。
【００１８】
次に動作について説明する。
例えば、海外拠点Ｘのユーザが図面管理装置１に管理されている製品の標準的な図面の入手を希望する場合、技術提携先端末２のマンマシンＩ／Ｆ部２２を操作して、図面の一覧要求を入力する。
技術提携先端末２の要求送信部２３は、ユーザがマンマシンＩ／Ｆ部２２を操作して、図面の一覧要求を入力すると、ネットワークＩ／Ｆ部２１を介して、その図面の一覧要求を図面管理装置１に送信する。
【００１９】
図面管理装置１のネットワークＩ／Ｆ部１１は、技術提携先端末２から送信された図面の一覧要求を受信すると、その図面の一覧要求を図面管理部１３に出力する。
図面管理装置１の図面管理部１３は、ネットワークＩ／Ｆ部１１から図面の一覧要求を受けると、ネットワークＩ／Ｆ部１１を介して、図面データベース１２に管理されている図面の一覧データ（図面リスト）を要求元の技術提携先端末２に送信する。
例えば、製品（１）の標準的な図面群（図面Ａ，Ｂ，Ｃ，Ｄ）と、製品（２）の標準的な図面群（図面Ｅ，Ｆ，Ｇ，Ｈ）と、製品（３）の標準的な図面群（図面Ｅ，Ｆ，Ｇ，Ｈ）とが図面データベース１２に管理されている場合、これらの図面群が管理されていることを示す図面の一覧データ（図面リスト）を要求元の技術提携先端末２に送信する。
【００２０】
技術提携先端末２の図面受信部２４は、ネットワークＩ／Ｆ部２１が図面管理装置１から送信された図面の一覧データを受信すると、その図面の一覧データを図面表示処理部２５に出力する。
技術提携先端末２の図面表示処理部２５は、図面受信部２４から図面の一覧データを受けると、図面リストをディスプレイ２６に表示する。
【００２１】
これにより、海外拠点Ｘのユーザは、図面管理装置１に管理されている図面群を認識することができるので、所望の図面群があれば、技術提携先端末２のマンマシンＩ／Ｆ部２２を操作して、所望の図面群を指定し、その図面群の送付要求を入力する。
ここでは、説明の便宜上、ユーザが製品（１）の標準的な図面群（図面Ａ，Ｂ，Ｃ，Ｄ）を指定するものとする。
技術提携先端末２の要求送信部２３は、ユーザがマンマシンＩ／Ｆ部２２を操作して、製品（１）の標準的な図面群（図面Ａ，Ｂ，Ｃ，Ｄ）の送付要求を入力すると、ネットワークＩ／Ｆ部２１を介して、その図面群の送付要求を図面管理装置１に送信する。
【００２２】
図面管理装置１のネットワークＩ／Ｆ部１１は、技術提携先端末２から送信された製品（１）の標準的な図面群（図面Ａ，Ｂ，Ｃ，Ｄ）の送付要求を受信すると、その図面群の送付要求を図面送信部１４に出力する。
図面管理装置１の図面送信部１４は、ネットワークＩ／Ｆ部１１から製品（１）の標準的な図面群（図面Ａ，Ｂ，Ｃ，Ｄ）の送付要求を受けると、その送付要求に付加されている図面ＩＤ（図面ＩＤは製品（１）の標準的な図面群を特定するＩＤ）をキーにして、図面データベース１２から製品（１）の標準的な図面群（図面Ａ，Ｂ，Ｃ，Ｄ）の電子データを収集する。
そして、図面送信部１４は、図４に示すように、ネットワークＩ／Ｆ部１１を介して、図面データベース１２から収集した製品（１）の標準的な図面群（図面Ａ，Ｂ，Ｃ，Ｄ）の電子データを送付要求元の技術提携先端末２に送信する。
【００２３】
技術提携先端末２の図面受信部２４は、ネットワークＩ／Ｆ部２１が図面管理装置１から送信された製品（１）の標準的な図面群（図面Ａ，Ｂ，Ｃ，Ｄ）の電子データを受信すると、その標準的な図面群（図面Ａ，Ｂ，Ｃ，Ｄ）の電子データを図面表示処理部２５に出力する。
技術提携先端末２の図面表示処理部２５は、図面受信部２４から製品（１）の標準的な図面群（図面Ａ，Ｂ，Ｃ，Ｄ）の電子データを受けると、その電子データにしたがって製品（１）の標準的な図面群（図面Ａ，Ｂ，Ｃ，Ｄ）をディスプレイ２６に表示する。
【００２４】
これにより、海外拠点Ｘのユーザは、製品（１）の標準的な図面群（図面Ａ，Ｂ，Ｃ，Ｄ）を認識することができる。
海外拠点Ｘのユーザは、現地事情（例えば、法規・調達・据付等の事情）に合わせるために、製品（１）の標準的な図面群（図面Ａ，Ｂ，Ｃ，Ｄ）を転化設計する必要がある場合、技術提携先端末２のマンマシンＩ／Ｆ部２２を操作して、その図面群（図面Ａ，Ｂ，Ｃ，Ｄ）の編集内容を指定する。
【００２５】
技術提携先端末２の図面編集部２７は、ユーザによるマンマシンＩ／Ｆ部２２の操作内容にしたがって図面群を編集し、編集後の図面群である転化図面群（図面Ａ’，Ｂ’，Ｃ’，Ｄ’）の電子データを審査依頼部２８に出力する。
技術提携先端末２の審査依頼部２８は、図面編集部２７から転化図面群（図面Ａ’，Ｂ’，Ｃ’，Ｄ’）の電子データを受けると、図４に示すように、ネットワークＩ／Ｆ部２１を介して、転化図面群（図面Ａ’，Ｂ’，Ｃ’，Ｄ’）の電子データを図面管理装置１に送信して、その転化図面の審査を依頼する。
【００２６】
図面管理装置１のネットワークＩ／Ｆ部１１は、技術提携先端末２から送信された転化図面群（図面Ａ’，Ｂ’，Ｃ’，Ｄ’）の電子データと、転化図面の審査依頼とを受信すると、その転化図面群（図面Ａ’，Ｂ’，Ｃ’，Ｄ’）の電子データと、転化図面の審査依頼とを審査依頼受付部１５に出力する。
図面管理装置１の審査依頼受付部１５は、ネットワークＩ／Ｆ部１１から転化図面群（図面Ａ’，Ｂ’，Ｃ’，Ｄ’）の電子データと、転化図面の審査依頼とを受けると、その審査依頼を受け付けて、転化図面の審査を行うワークフローを起動する。
【００２７】
即ち、審査依頼受付部１５は、審査依頼に付加されている図面ＩＤ（図面ＩＤは転化図面群（図面Ａ’，Ｂ’，Ｃ’，Ｄ’）の元図面である製品（１）の標準的な図面群を特定するＩＤ）をキーにして、図面データベース１２から製品（１）の標準的な図面群（図面Ａ，Ｂ，Ｃ，Ｄ）の担当者（例えば、設計者）が使用する担当者端末６を特定する。
そして、審査依頼受付部１５は、ネットワークＩ／Ｆ部１１を介して、転化図面群（図面Ａ’，Ｂ’，Ｃ’，Ｄ’）の電子データを担当者端末６に送信して転化図面の審査を依頼する。
【００２８】
担当者端末６は、図面管理装置１から送信された転化図面群（図面Ａ’，Ｂ’，Ｃ’，Ｄ’）の電子データと、転化図面の審査依頼とを受信すると、その電子データにしたがって転化図面群（図面Ａ’，Ｂ’，Ｃ’，Ｄ’）をディスプレイに表示するとともに、その転化図面の審査に必要な情報（例えば、標準的な図面の設計思想や許容設計値など）を表示し、担当者が転化図面の審査を行える状況を構築する。
担当者が転化図面を審査して、その審査結果を担当者端末６に入力すると、担当者端末６が転化図面の審査結果を図面管理装置１に送信する。
【００２９】
図面管理装置１の審査依頼受付部１５は、ネットワークＩ／Ｆ部１１が担当者端末６から送信された転化図面の審査結果を受信すると、その転化図面の審査結果を図面登録部１６に出力する。
図面管理装置１の図面登録部１６は、審査依頼受付部１５から転化図面の審査結果を受けると、その審査結果が“良”であれば、転化図面群（図面Ａ’，Ｂ’，Ｃ’，Ｄ’）の電子データを図面データベース１２に登録する。
ただし、図面登録部１６は、転化図面群（図面Ａ’，Ｂ’，Ｃ’，Ｄ’）の電子データを図面データベース１２に登録する際、製品（１）の標準的な図面群（図面Ａ，Ｂ，Ｃ，Ｄ）と転化図面群（図面Ａ’，Ｂ’，Ｃ’，Ｄ’）の関係を明確化するため、図５に示すように、製品（１）の標準的な図面群（図面Ａ，Ｂ，Ｃ，Ｄ）と転化図面群（図面Ａ’，Ｂ’，Ｃ’，Ｄ’）との対応付けを実施する。
【００３０】
図面登録部１６は、転化図面群（図面Ａ’，Ｂ’，Ｃ’，Ｄ’）の電子データを図面データベース１２に登録すると、ネットワークＩ／Ｆ部１１を介して、その転化図面の審査結果が“良”である旨を審査依頼元の技術提携先端末２に通知する。
図面登録部１６は、転化図面の審査結果が“否”であれば、転化図面群（図面Ａ’，Ｂ’，Ｃ’，Ｄ’）の電子データを破棄し、ネットワークＩ／Ｆ部１１を介して、その転化図面の審査結果が“否”である旨を審査依頼元の技術提携先端末２に通知する。
【００３１】
技術提携先端末２の図面受信部２４は、ネットワークＩ／Ｆ部２１が図面管理装置１から送信された転化図面の審査結果を受信すると、その審査結果を図面表示処理部２５に出力する。
技術提携先端末２の図面表示処理部２５は、図面受信部２４から転化図面の審査結果をディスプレイ２６に表示する。
これにより、海外拠点Ｘのユーザは、技術提携契約上、転化図面群を利用することができるか否かを判断することができる。
【００３２】
次に、海外拠点Ｚのユーザが、海外拠点Ｘの転化図面群（図面Ａ’，Ｂ’，Ｃ’，Ｄ’）の利用を希望する場合について説明する。
まず、海外拠点Ｚのユーザは、図面管理装置１に管理されている図面を確認（海外拠点Ｘの転化図面群（図面Ａ’，Ｂ’，Ｃ’，Ｄ’）が登録されているかを確認）するため、技術提携先端末４のマンマシンＩ／Ｆ部２２を操作して、図面の一覧要求を入力する。
技術提携先端末４の要求送信部２３は、ユーザがマンマシンＩ／Ｆ部２２を操作して、図面の一覧要求を入力すると、ネットワークＩ／Ｆ部２１を介して、その図面の一覧要求を図面管理装置１に送信する。
【００３３】
図面管理装置１のネットワークＩ／Ｆ部１１は、技術提携先端末４から送信された図面の一覧要求を受信すると、その図面の一覧要求を図面管理部１３に出力する。
図面管理装置１の図面管理部１３は、ネットワークＩ／Ｆ部１１から図面の一覧要求を受けると、ネットワークＩ／Ｆ部１１を介して、図面データベース１２に管理されている図面の一覧データ（図面リスト）を要求元の技術提携先端末４に送信する。
この場合、製品（１）の標準的な図面群（図面Ａ，Ｂ，Ｃ，Ｄ）と、製品（２）の標準的な図面群（図面Ｅ，Ｆ，Ｇ，Ｈ）と、製品（３）の標準的な図面群（図面Ｅ，Ｆ，Ｇ，Ｈ）とが図面データベース１２に管理されているほか、製品（１）の転化図面群（図面Ａ’，Ｂ’，Ｃ’，Ｄ’）が図面データベース１２に管理されているので、これらの図面群が管理されていることを示す図面の一覧データ（図面リスト）を要求元の技術提携先端末４に送信する。
【００３４】
技術提携先端末４の図面受信部２４は、ネットワークＩ／Ｆ部２１が図面管理装置１から送信された図面の一覧データを受信すると、その図面の一覧データを図面表示処理部２５に出力する。
技術提携先端末４の図面表示処理部２５は、図面受信部２４から図面の一覧データを受けると、図面リストをディスプレイ２６に表示する。
【００３５】
これにより、海外拠点Ｚのユーザは、図面管理装置１に管理されている図面群を認識することができる。即ち、海外拠点Ｘの転化図面群（図面Ａ’，Ｂ’，Ｃ’，Ｄ’）＝製品（１）の転化図面群（図面Ａ’，Ｂ’，Ｃ’，Ｄ’）が管理されていることを認識することができる。
海外拠点Ｚのユーザは、技術提携先端末４のマンマシンＩ／Ｆ部２２を操作して、海外拠点Ｘの転化図面群（図面Ａ’，Ｂ’，Ｃ’，Ｄ’）を指定し、その図面群の送付要求を入力する。
技術提携先端末４の要求送信部２３は、ユーザがマンマシンＩ／Ｆ部２２を操作して、海外拠点Ｘの転化図面群（図面Ａ’，Ｂ’，Ｃ’，Ｄ’）の送付要求を入力すると、ネットワークＩ／Ｆ部２１を介して、その図面群の送付要求を図面管理装置１に送信する。
【００３６】
図面管理装置１のネットワークＩ／Ｆ部１１は、技術提携先端末４から送信された製品（１）の転化図面群（図面Ａ’，Ｂ’，Ｃ’，Ｄ’）の送付要求を受信すると、その図面群の送付要求を図面送信部１４に出力する。
図面管理装置１の図面送信部１４は、ネットワークＩ／Ｆ部１１から製品（１）の転化図面群（図面Ａ’，Ｂ’，Ｃ’，Ｄ’）の送付要求を受けると、その送付要求に付加されている図面ＩＤ（図面ＩＤは製品（１）の転化図面群を特定するＩＤ）をキーにして、図面データベース１２から製品（１）の転化図面群（図面Ａ’，Ｂ’，Ｃ’，Ｄ’）の電子データを収集する。
そして、図面送信部１４は、ネットワークＩ／Ｆ部１１を介して、図面データベース１２から収集した製品（１）の転化図面群（図面Ａ’，Ｂ’，Ｃ’，Ｄ’）の電子データを送付要求元の技術提携先端末４に送信する。
【００３７】
技術提携先端末４の図面受信部２４は、ネットワークＩ／Ｆ部２１が図面管理装置１から送信された製品（１）の転化図面群（図面Ａ’，Ｂ’，Ｃ’，Ｄ’）の電子データを受信すると、その転化図面群（図面Ａ’，Ｂ’，Ｃ’，Ｄ’）の電子データを図面表示処理部２５に出力する。
技術提携先端末４の図面表示処理部２５は、図面受信部２４から製品（１）の転化図面群（図面Ａ’，Ｂ’，Ｃ’，Ｄ’）の電子データを受けると、その電子データにしたがって製品（１）の転化図面群（図面Ａ’，Ｂ’，Ｃ’，Ｄ’）をディスプレイ２６に表示する。
これにより、海外拠点Ｚのユーザは、製品（１）の転化図面群（図面Ａ’，Ｂ’，Ｃ’，Ｄ’）を利用することができるようになる。
【００３８】
以上で明らかなように、この実施の形態１によれば、技術提携先端末２〜４から図面の送付要求を受信すると、図面データベース１２に管理されている図面の電子データを送付要求元の技術提携先端末に送信する図面送信部１４と、その技術提携先端末２〜４から転化図面の電子データを受信して、その図面の審査依頼を受け付ける審査依頼受付部１５とを設け、その技術提携先端末２〜４による転化図面の審査結果が“良”であれば、その審査依頼受付部１５により受信された転化図面の電子データを図面データベース１２に登録し、その転化図面の審査結果が“否”であれば、その転化図面の審査結果が“否”である旨を審査依頼元の技術提携先端末に通知するように構成したので、製品の標準的な図面だけでなく、技術提携先端末２〜４による転化図面についても一元的に管理することができるようになり、その結果、転化図面を必要とする拠点に速やかに転化図面を送付することができるとともに、現存する転化図面を正確に把握することができる効果を奏する。
【００３９】
また、この実施の形態１によれば、技術提携先端末２〜４による転化図面の審査依頼を受け付けると、その転化図面の電子データを担当者端末６に送信して転化図面の審査を依頼し、その担当者端末６から図面の審査結果を受信するように構成したので、審査依頼を受け付けて、直ちに転化図面の審査を行うワークフローを起動することができる効果を奏する。
【００４０】
さらに、この実施の形態１によれば、転化図面群（図面Ａ’，Ｂ’，Ｃ’，Ｄ’）の電子データを図面データベース１２に登録する際、製品（１）の標準的な図面群（図面Ａ，Ｂ，Ｃ，Ｄ）と転化図面群（図面Ａ’，Ｂ’，Ｃ’，Ｄ’）との対応付けを行うように構成したので、製品（１）の標準的な図面群（図面Ａ，Ｂ，Ｃ，Ｄ）と転化図面群（図面Ａ’，Ｂ’，Ｃ’，Ｄ’）の関係を明確化することができる効果を奏する。
【００４１】
この実施の形態１によれば、技術提携先端末４から転化図面の送付要求を受信すると、図面データベース１２に管理されている転化図面の電子データを技術提携先端末４に送信するように構成したので、例えば、海外拠点Ｚのユーザは、標準的な図面だけでなく、転化図面についても速やかに入手することができる効果を奏する。
【００４２】
この実施の形態１によれば、図面の送付要求を図面管理装置１に送信して、その図面管理装置１から図面の電子データを受信し、その図面をディスプレイに表示するように構成したので、海外拠点において、図面管理装置１に管理されている標準的な図面や転化図面を確認することができる効果を奏する。
また、ディスプレイに表示されている図面の編集を受け付ける図面編集部２７を設け、その図面編集部２７により編集された図面の電子データを図面管理装置１に送信して、その転化図面の審査を依頼するように構成したので、その転化図面の利用の可否を速やかに確認することができる効果を奏する。
【００４３】
実施の形態２．
上記実施の形態１では、図面管理装置１が製品（１）の標準的な図面群（図面Ａ，Ｂ，Ｃ，Ｄ）の電子データを海外拠点Ｘの技術提携先端末２に送信し、その技術提携先端末２が標準的な図面群（図面Ａ，Ｂ，Ｃ，Ｄ）を編集して、その転化図面群（図面Ａ’，Ｂ’，Ｃ’，Ｄ’）の電子データと、その転化図面の審査依頼とを図面管理装置１に送信するものについて示したが、図４に示すように、図面管理装置１が製品（１）の転化図面群（図面Ａ’，Ｂ’，Ｃ’，Ｄ’）の電子データを海外拠点Ｙの技術提携先端末３に送信し、その技術提携先端末３が転化図面群（図面Ａ’，Ｂ’，Ｃ’，Ｄ’）を編集して、その転化図面群（図面Ａ”，Ｂ”，Ｃ”，Ｄ”）の電子データと、その転化図面の審査依頼とを図面管理装置１に送信するようにしてもよい。
この場合、転化図面群（図面Ａ”，Ｂ”，Ｃ”，Ｄ”）の審査結果が“良”であれば、転化図面群（図面Ａ”，Ｂ”，Ｃ”，Ｄ”）の電子データが図面データベース１２に登録される。
【００４４】
実施の形態３．
上記実施の形態１では、図面管理装置１が製品（１）の標準的な図面群（図面Ａ，Ｂ，Ｃ，Ｄ）の電子データを海外拠点Ｘの技術提携先端末２に送信し、図面管理装置１が製品（１）の転化図面群（図面Ａ’，Ｂ’，Ｃ’，Ｄ’）の電子データを海外拠点Ｚの技術提携先端末４に送信するものについて示したが、図６に示すように、図面管理装置１が例えば製品（１）の標準的な図面と転化図面とを組み合わせて、組み合わせ図面群（例えば、Ａ，Ｂ，Ｃ’，Ｄ”）の電子データを海外拠点Ｚの技術提携先端末４に送信するようにしてもよい。
【００４５】
即ち、海外拠点Ｚのユーザが、技術提携先端末４のディスプレイ２６に表示されている図面リストを見て、例えば、製品（１）の○○と△△に関する図面としては、標準的な図面Ａ，Ｂの入手を希望するが、例えば、製品（１）のユニットＵ２に関する図面は、海外拠点Ｘによる転化図面Ｃ’、製品（１）のサブユニットＵ３に関する図面は、海外拠点Ｙによる転化図面Ｄ”の入手を希望する場合がある。
この場合、海外拠点Ｚのユーザは、技術提携先端末４のマンマシンＩ／Ｆ部２２を操作して、図面群（図面Ａ，Ｂ，Ｃ’，Ｄ”）を指定して、その図面群の送付要求を入力するようにする。
技術提携先端末４の要求送信部２３は、ユーザがマンマシンＩ／Ｆ部２２を操作して、図面群の送付要求を入力すると、ネットワークＩ／Ｆ部２１を介して、その図面群の送付要求を図面管理装置１に送信する。
【００４６】
図面管理装置１の図面送信部１４は、ネットワークＩ／Ｆ部１１が技術提携先端末４から送信された図面群（図面Ａ，Ｂ，Ｃ’，Ｄ”）の送付要求を受信すると、ネットワークＩ／Ｆ部１１を介して、図面データベース１２から収集した製品（１）の図面群（図面Ａ，Ｂ，Ｃ’，Ｄ”）の電子データを送付要求元の技術提携先端末４に送信する。
【００４７】
技術提携先端末４の図面受信部２４は、ネットワークＩ／Ｆ部２１が図面管理装置１から送信された製品（１）の図面群（図面Ａ，Ｂ，Ｃ’，Ｄ”）の電子データを受信すると、その転化図面群（図面Ａ’，Ｂ’，Ｃ’，Ｄ’）の電子データを図面表示処理部２５に出力する。
技術提携先端末２の図面表示処理部２５は、図面受信部２４から製品（１）の図面群（図面Ａ，Ｂ，Ｃ’，Ｄ”）の電子データを受けると、その電子データにしたがって製品（１）の図面群（図面Ａ，Ｂ，Ｃ’，Ｄ”）をディスプレイ２６に表示する。
これにより、海外拠点Ｚのユーザは、製品（１）の図面群（図面Ａ，Ｂ，Ｃ’，Ｄ”）を利用することができるようになる。
【００４８】
以上で明らかなように、この実施の形態３によれば、図面管理装置１が例えば製品（１）の標準的な図面と転化図面とを組み合わせて、組み合わせ図面群（例えば、Ａ，Ｂ，Ｃ’，Ｄ”）の電子データを海外拠点Ｚの技術提携先端末４に送信するように構成したので、図面の利用効率や利用価値を高めることができる効果を奏する。
【図面の簡単な説明】
【００４９】
【図１】この発明の実施の形態１による図面管理システムを示す構成図である。
【図２】この発明の実施の形態１による図面管理装置を示す構成図である。
【図３】この発明の実施の形態１による技術提携先端末を示す構成図である。
【図４】この発明の実施の形態１による図面管理システムの処理内容を示す説明図である。
【図５】標準的な図面群（図面Ａ，Ｂ，Ｃ，Ｄ）と転化図面群（図面Ａ’，Ｂ’，Ｃ’，Ｄ’）等との対応関係を示す説明図である。
【図６】この発明の実施の形態３による図面管理システムの処理内容を示す説明図である。
【符号の説明】
【００５０】
１  図面管理装置、２  技術提携先端末、３  技術提携先端末、４  技術提携先端末、５  ネットワーク、６  担当者端末、１１  ネットワークＩ／Ｆ部、１２  図面データベース（電子データ管理手段）、１３  図面管理部（電子データ管理手段）、１４  図面送信部（図面送信手段）、１５  審査依頼受付部（審査依頼受付手段）、１６  図面登録部（図面登録手段）、２１  ネットワークＩ／Ｆ部、２２  マンマシンＩ／Ｆ部、２３  要求送信部（図面受信手段）、２４  図面受信部（図面受信手段）、２５  図面表示処理部（図面表示手段）、２６  ディスプレイ（図面表示手段）、２７  図面編集部（図面編集手段）、２８  審査依頼部（審査依頼手段）。
【図１】
2006293930.tif 000003
【図２】
2006293930.tif 000004
【図３】
2006293930.tif 000005
【図４】
2006293930.tif 000006
【図５】
2006293930.tif 000007
【図６】
2006293930.tif 000008